(57)【要約】【課題】  放送局側で単語にその読み方や品詞等の属性を付加することなしに、固有名詞や流行語が含まれている文字列を容易に入力することができる。【解決手段】  ステップＳ１１０では、かな漢字変換用辞書１８に登録されているかを調べ、登録されている場合は「終了」に進み、登録されていない場合はステップＳ１２０に進む。ステップＳ１２０では、番組表辞書１９に登録されているかを調べ、登録されている場合はステップＳ１４０に進み、登録されていない場合はステップＳ１３０に進む。ステップＳ１４０では、番組表辞書１９に登録されている更新日付を現在の日付に更新し、抽出回数を１増加させ、「終了」に進む。ステップＳ１３０では、番組表辞書１９に、その文字列、及び、更新日付としてその時点の日付を、抽出回数として「１」を、選択回数として「０」を登録し、「終了」に進む。【選択図】  図３
2007036337.tif 000002
【特許請求の範囲】
【請求項１】
放送信号を受信しこの放送信号からＥＰＧデータ信号を抽出する放送信号受信部と、ＥＰＧデータ信号から番組名データと番組情報データを復号する復号部と、かな漢字変換用辞書とを備える録画機器において使用されるデータ蓄積方法であって、
前記かな漢字変換用辞書に登録されていない番組名データを登録するステップと、
番組情報データから名詞を抽出するステップと、
前記かな漢字変換用辞書に登録されていない前記抽出された名詞を登録するステップと
を具備することを特徴とする文字列蓄積方法。
【請求項２】
放送信号を受信しこの放送信号からＥＰＧデータ信号を抽出する放送信号受信部と、ＥＰＧデータ信号から番組名データと番組情報データを復号する復号部と、かな漢字変換用辞書とを備える録画機器において使用されるデータ蓄積方法であって、
前記かな漢字変換用辞書に登録されていない番組名データを登録するステップと、
番組情報データから名詞を抽出するステップと、
前記かな漢字変換用辞書に登録されていない前記抽出された名詞を登録するステップと、
前記番組データ及び前記抽出された名詞、それぞれについて、最後にＥＰＧデータ信号から抽出された日付及び抽出された累積回数を記憶するステップと
を具備することを特徴とする文字列蓄積方法。
【請求項３】
ユーザが文字列を入力し、この入力された文字列を変換する文字列の候補を表示し、この候補の中から文字列を選択し、この選択された文字列に変換する文字列入力方法であって、
請求項１又は２記載の文字列蓄積方法によって蓄積された文字列群の中から、ユーザが入力した文字列を含む文字列を抽出するステップと、
前記抽出された文字列を変換する文字列の候補として表示するステップと
を具備することを特徴とする文字列入力方法。
【請求項４】
請求項１又は２記載の文字列蓄積方法を実施することを特徴とする録画機器。
【発明の詳細な説明】
【技術分野】
【０００１】
本発明は、放送を録画する機器、並びに、この機器において使用される文字列蓄積方法及び文字列入力方法に関するものである。
【背景技術】
【０００２】
現在の放送信号は、映像信号と音声信号に加えて、ＥＰＧ（Ｅｌｅｃｔｒｏｎｉｃ  Ｐｒｏｇｒａｍ  Ｇｕｉｄｅ：電子番組ガイド）データ信号も送信している。このＥＰＧデータ信号には、番組名を表す「番組名データ」と、番組の内容を説明した「番組情報データ」が含まれている。このため、ＥＰＧ機能を使用して録画を行うと、ユーザが、番組名データや番組情報データを手入力することなく、これらを記録することができる。
【０００３】
一方、ＥＰＧ機能を使用せずに録画した場合は、ユーザが番組名データや番組情報データを手入力することになる。この場合、録画機器に内蔵されている、かな漢字変換用辞書を使用して、これらのデータを手入力することになるが、一般に、これらのデータは、固有名詞が用いられていたり、また、流行の言葉が用いられていたりすることが多く、内蔵されている、かな漢字変換用辞書では、ユーザが変換したい文字列に変換されにくいということが多かった。
【０００４】
特許文献１では、放送信号を使用して、単語並びにその読み方及び品詞等の属性を送信し、録画機器ではこれらを辞書登録する技術が開示されている。この技術により、ユーザは、固有名詞や流行語が含まれている場合であっても、変換したい文字列に容易に変換することができるようになる。
【０００５】
【特許文献１】特開２００３−１７４５９７号公報
【発明の開示】
【発明が解決しようとする課題】
【０００６】
しかし、特許文献１の技術を用いる場合、放送局側で、登録させたい全ての単語に対して、その読み方や品詞等の属性を付加するという作業を行わなければならないという問題があった。
【０００７】
本発明は、上述の問題点に鑑みてなされたものであり、放送局側で単語にその読み方や品詞等の属性を付加することなしに、固有名詞や流行語が含まれている文字列を容易に入力することができるようにする文字列蓄積方法、文字列入力方法、及び録画機器を提供することを目的とする。
【課題を解決するための手段】
【０００８】
請求項１に記載の文字列蓄積方法は、放送信号を受信しこの放送信号からＥＰＧデータ信号を抽出する放送信号受信部と、ＥＰＧデータ信号から番組名データと番組情報データを復号する復号部と、かな漢字変換用辞書とを備える録画機器において使用されるデータ蓄積方法であって、前記かな漢字変換用辞書に登録されていない番組名データを登録するステップと、番組情報データから名詞を抽出するステップと、前記かな漢字変換用辞書に登録されていない前記抽出された名詞を登録するステップとを具備することを特徴とする。
【０００９】
請求項１に記載の文字列蓄積方法によれば、固有名詞や流行語やこれらを含む文字列を録画機器に蓄積することができる。
【００１０】
請求項２に記載の文字列蓄積方法は、放送信号を受信しこの放送信号からＥＰＧデータ信号を抽出する放送信号受信部と、ＥＰＧデータ信号から番組名データと番組情報データを復号する復号部と、かな漢字変換用辞書とを備える録画機器において使用されるデータ蓄積方法であって、前記かな漢字変換用辞書に登録されていない番組名データを登録するステップと、番組情報データから名詞を抽出するステップと、前記かな漢字変換用辞書に登録されていない前記抽出された名詞を登録するステップと、前記番組データ及び前記抽出された名詞、それぞれについて、最後にＥＰＧデータ信号から抽出された日付及び抽出された累積回数を記憶するステップとを具備することを特徴とする。
【００１１】
請求項２に記載の文字列蓄積方法によれば、固有名詞や流行語やこれらを含む文字列、並びに最後にＥＰＧデータから抽出された日付及び抽出された累積回数を録画機器に蓄積することができる。
【００１２】
請求項３に記載の文字列入力方法は、ユーザが文字列を入力し、この入力された文字列を変換する文字列の候補を表示し、この候補の中から文字列を選択し、この選択された文字列に変換する文字列入力方法であって、請求項１又は２記載の文字列蓄積方法によって蓄積された文字列群の中から、ユーザが入力した文字列を含む文字列を抽出するステップと、前記抽出された文字列を変換する文字列の候補として表示するステップとを具備することを特徴とする。
【００１３】
請求項３に記載の文字列入力方法によれば、請求項１又は２記載の文字列蓄積方法によって蓄積された文字列を使用して、文字列入力を行うことができる。
【００１４】
請求項４に記載の録画機器は、請求項１又は２記載の文字列蓄積方法を実施することを特徴とする。
【００１５】
請求項４に記載の録画機器によれば、固有名詞や流行語やこれらを含む文字列を録画機器に蓄積することができる。
【発明の効果】
【００１６】
本発明によれば、放送局側で単語にその読み方や品詞等の属性を付加することなしに、固有名詞や流行語が含まれている文字列を容易に入力することができる。
【発明を実施するための最良の形態】
【００１７】
本発明の実施の形態を、図面を参照して説明する。なお、以下の実施例は本発明の具体例の１つに過ぎず、本発明が以下の実施形態に限定されるものではない。
【００１８】
本発明による一実施例が採用された全体構成を図１に、レコーダ（録画機器）２の機能構成を図２に示す。
【００１９】
図１は、アンテナ１を通して放送信号を受信し、レコーダ２で録画し、モニタ３を通して視聴することを示している。
【００２０】
図２に示した各機能を説明する。放送信号受信部１１は、入力された放送信号を検波し、音声信号、映像信号、及びＥＰＧデータ信号に分割する。これらは、それぞれ、音声信号処理部１６、映像信号処理部１７、復号部１２に送られる。復号部１２では、ＥＰＧデータ信号から番組名データ及び番組情報データを復号する。リモコン受信部１３は、リモコン２１から送信された制御信号を受信し、制御部１５に送る。時計１４は、日付及び時刻をカウントする。
【００２１】
かな漢字変換用辞書１８は、文字列入力の際に、かなを漢字などに変換するための辞書であり、製品出荷時に予め単語並びにその読み方及び品詞等の属性が登録されている。番組表辞書１９は、番組データ及び番組情報データから抽出された名詞を、それぞれ、更新日付、抽出回数及び選択回数とともに記憶する。ここで、更新日付は、その文字列が新規に登録された場合は、その登録の時点での日付であり、その後、再度、ＥＰＧデータ信号においてその文字列が抽出された場合は、その再度抽出された時点での日付になる。また、抽出回数は、新規登録の際に「１」がセットされ、その後、再度、ＥＰＧデータ信号において、その文字列が抽出される毎に１ずつ増加させる。更に、選択回数は、文字入力の際に、その文字列が選択された累積回数のことであり、新規登録の際に「０」がセットされ、文字入力において、その文字列が選択される毎に１ずつ増加させる。
【００２２】
情報音声信号処理部１６は、放送信号受信部１１から送られた音声信号を出力する。映像信号処理部１７は、放送信号受信部１１から送られた映像信号及び制御部１５から送られたＯＳＤ映像信号（例えば、文字入力や音量変更時の音量値の表示等）を出力する。制御部１５は、各部を制御し、また、各種信号のやりとりを行う。
【００２３】
図４は、リモコン２１を示す。数字を入力するための数字キー３１、画面上で選択箇所を移動させるための矢印キー３２、事項を決定するための決定キー３３、かな漢字変換の際に変換をさせるための変換キー３４等を備える。
【００２４】
次に、図３を用いて、番組表辞書１９に文字列が登録される流れを説明する。先ず、復号部１２で復号された番組情報データから、名詞を抽出する（名詞の抽出は、例えば、助詞「が」や「は」の前を名詞と判断するという方法等がある）。そして、この番組情報データから抽出された名詞及び番組名データ、１つ１つについて、図３に示す処理がなされる。
【００２５】
ステップＳ１１０では、かな漢字変換用辞書１８に登録されているかを調べ、登録されている場合は「終了」に進み、登録されていない場合はステップＳ１２０に進む。ステップＳ１２０では、番組表辞書１９に登録されているかを調べ、登録されている場合はステップＳ１４０に進み、登録されていない場合はステップＳ１３０に進む。
【００２６】
ステップＳ１４０では、番組表辞書１９に登録されている更新日付を現在の日付に更新し、抽出回数を１増加させ、「終了」に進む。ステップＳ１３０では、番組表辞書１９に、その文字列、及び、更新日付としてその時点の日付を、抽出回数として「１」を、選択回数として「０」を登録し、「終了」に進む。
【００２７】
このようにして番組表辞書１９への、文字列の新規登録と、既に登録されている文字列に関する情報の更新を行うことができる。
【００２８】
さて、このようにして文字列が登録された番組表辞書１９を用いた文字入力方法について、図５を用いて説明する。ここでは、「六本木ホテル」という文字列を入力する場合を例として用いる。
【００２９】
図５（ａ）は、先ず、入力したい文字列の最初の部分の読み方である「ろっぽんぎ」を入力したところである（ひらがなの入力の方法としては、例えば、ひらがなの５０音表示をＯＳＤ表示させ、リモコン２１の矢印キー３２でハイライト表示を移動させ、決定キー３３で決定していくという方法がある）。ここで、変換キー３４を押すと、図５（ｂ）に示すように、「ろっぽんぎ」という読み方に対応する変換候補がいくつか表示される。
【００３０】
更に、図５（ｂ）において、表示されている変換候補の中から、「六本木」の文字列がハイライト表示されるよう矢印キー３２で移動させると、「六本木」の文字列を含む文字列が番組表辞書１９で検索され、抽出された文字列が、図５（ｃ）のように表示される。ここで、図５（ｃ）の右側に表示される文字列の並び順は、選択回数の多い順とする。
【００３１】
更に、図５（ｃ）において、右矢印キー３２ｂを押して、ハイライト表示を右側に移動させた後、図５（ｄ）のように上矢印キー３２ａ／下矢印キー３２ｃを使用して、「六本木ホテル」をハイライト表示させ、決定キー３３を押すと、図５（ｅ）に示すように、「六本木ホテル」を入力することができる。
【００３２】
以上述べたように、本発明では、放送局側で単語にその読み方や品詞等の属性を付加することなしに、固有名詞や流行語が含まれている文字列を容易に入力することができる。
【００３３】
なお、上述の実施例では、文字列の新規登録と、既に登録されている文字列に関する情報の更新を行うものであったが、既に登録されている文字列の中で、或る条件を満足するものを削除して、番組表辞書１９を効率的に使用することも可能である。例えば、この文字列を削除する条件としては、「更新日付が古いもの」や「抽出回数が少ないもの」や「選択回数が少ないもの」などを使用しても良い。
【図面の簡単な説明】
【００３４】
【図１】実施例の全体構成を示す図である。
【図２】実施例の録画機器を示す図である。
【図３】実施例のフローチャートを示す図である。
【図４】リモコンを示す図である。
【図５】文字列入力の流れを示す図である。
【符号の説明】
【００３５】
１  アンテナ
２  レコーダ（録画機器）
３  モニタ
１１  放送信号受信部
１２  復号部
１３  リモコン受信部
１４  時計
１５  制御部
１６  音声信号処理部
１７  映像信号処理部
１８  かな漢字変換用辞書
１９  番組表辞書
２１  リモコン
３１  数字キー
３２  矢印キー
３３  決定キー
３４  変換キー
【図１】
2007036337.tif 000003
【図２】
2007036337.tif 000004
【図３】
2007036337.tif 000005
【図４】
2007036337.tif 000006
【図５】
2007036337.tif 000007